(57)【要約】【課題】  エレベータ完成時に、ユーザが自己の抱いていたイメージと実際に仕上がった意匠との相違により失望しないようにすること。【解決手段】  意匠仕様記入画面提供手段４は、仕様記入画面をユーザ端末２に提供し、視覚映像画面生成手段６は、手段４が提供した画面上でユーザ端末２の記入仕様に基づき記憶手段５に予め保存された各種情報を用いて視覚映像の生成を行い、表示処理手段７は、手段６が生成した視覚映像を用いて静止画又は動画をユーザ端末２側に画面表示させ、ユーザ要求仕様チェック手段８は、ユーザ端末２側に対して仕様の良否を問い合わせ、良とする回答の場合は登録し、一方、否とする回答の場合は記入仕様の変更を求め、音声出力手段９は、ユーザ端末２側の画面表示の際に、運転中に利用者に対して案内する内容を音声出力する。【選択図】  図１
2005154102.tif 000002
【特許請求の範囲】
【請求項１】
インターネットを介してユーザ端末とエレベータメーカの意匠決定支援サーバとが接続され、該意匠決定支援サーバが該ユーザ端末のアクセスに応じてエレベータ意匠の仕様を決定するための画面を提供し、前記ユーザ端末によりこの画面上で選択又は記入された所定事項に基づきエレベータ意匠を決定するようになっている、エレベータ意匠決定支援システムにおいて、
前記意匠決定支援サーバは、
前記ユーザ端末のアクセスに応じて前記エレベータ意匠の仕様を決定するための画面を提供する意匠仕様記入画面提供手段と、
ユーザが実際に視覚を通じて認識する映像又はこれに近い映像である前記エレベータ意匠に関する視覚映像を生成するために用いる各種情報が予め保存されている記憶手段と、
前記意匠仕様記入画面提供手段が提供した画面上で前記ユーザ端末が記入した仕様に基づき、前記記憶手段に保存された各種情報を用いて前記視覚映像の生成を行う視覚映像画面生成手段と、
前記視覚映像画面生成手段が生成した視覚映像を用いて、前記エレベータ意匠に関する静止画又は動画を前記ユーザ端末側に画面表示させる表示処理手段と、
前記表示処理手段による前記ユーザ端末側での表示が行われた後、該ユーザ端末側に対して該表示に係る意匠の仕様の良否を問い合わせ、良とする回答を得た場合はその仕様を登録し、一方、否とする回答を得た場合は前記ユーザ端末が記入した仕様について変更を求めるユーザ要求仕様チェック手段と、
を備えたことを特徴とするエレベータ意匠決定支援システム。
【請求項２】
前記視覚映像画面生成手段は、
前記記憶手段に保存された部品情報を用いて、エレベータの部品を組み立てる部品組立手段と、
前記記憶手段に保存された質感情報を用いて、前記組み立てられるエレベータの部品の質感を設定する質感設定手段と、
前記記憶手段に保存された光源情報を用いて、所定の場所の照度が所定レベルとなるように光源条件の設定を行う光源条件設定手段と、
前記記憶手段に保存された視野情報を用いて、前記ユーザが実際に視覚を通じて認識する映像が得られるような視野条件を設定する視野条件設定手段と、
前記部品組立手段、前記質感設定手段、前記光源条件設定手段、及び前記視野条件設定手段の各組立結果及び設定結果に基づきエレベータ意匠に関する描画を行う描画手段と、
を有するものである、
ことを特徴とする請求項１記載のエレベータ意匠決定支援システム。
【請求項３】
前記光源条件設定手段は、停電発生時にかご内の停電灯が点灯した場合に該かご内の照度が所定レベルとなるような光源条件の設定を行うものである、
ことを特徴とする請求項２記載のエレベータ意匠決定支援システム。
【請求項４】
前記視野条件設定手段は、背面鏡が設置されたかご内に車椅子の利用者が乗り込む場合に、該利用者がかご内と乗場との間を円滑に乗降できる背面鏡のサイズ及び設置位置を調整するための視野条件を設定可能なものである、
ことを特徴とする請求項２記載のエレベータ意匠決定支援システム。
【請求項５】
前記意匠決定支援サーバは、前記表示処理手段が前記ユーザ端末側に画面表示させる際に、エレベータ運転中に利用者に対して音声案内する内容を音声出力する音声出力手段を備えた、
ことを特徴とする請求項１乃至４のいずれかに記載のエレベータ意匠決定支援システム。
【発明の詳細な説明】
【技術分野】
【０００１】
本発明は、ユーザがコンピュータ及びインターネットを利用してエレベータ意匠を決定するのを支援するためのシステムに関するものである。
【背景技術】
【０００２】
近時のコンピュータ技術の発達、及びインターネットの普及はめざましいものがあり、多くの人々がこれらコンピュータ及びインターネットを用いて、種々の情報を取得し、また発信できるようになってきている。そして、エレベータ産業の分野においても、これらコンピュータ及びインターネットを活用してエレベータの新規設置仕様を設定できるシステムが登場してきている（例えば、本出願人の提示した特許文献１参照）。
【０００３】
この特許文献１に係る技術によれば、ユーザの希望する仕様を具備したエレベータが３次元モデルを用いて画面上で表示されるので、ユーザ側とエレベータメーカ側とは必ずしも直接に対面しなくてもエレベータの新規仕様を設定することができるようになり、ユーザ側及びエレベータメーカ側双方の労力を軽減することが可能になる。この場合の新規仕様にはエレベータの機能上の仕様ばかりでなく、意匠上の仕様も含まれている。
【特許文献１】特開２００３−１７１０６９号公報
【発明の開示】
【発明が解決しようとする課題】
【０００４】
ところで、エレベータの機能上の仕様については一義的に定まるものであるため、設定仕様通りにシステムが製造されていれば、通常はエレベータシステムの完成時においてユーザが自己の希望する仕様ではないとして不満を訴えることはほとんどない。
【０００５】
しかし、エレベータ意匠については、エレベータメーカがユーザの了解の下に仕様を決定したとしても、エレベータシステムの完成時において、しばしばユーザは自己の抱いていたイメージの意匠とは異なるとして失望感を表明することがある。これは、ユーザがエレベータ意匠を観察する場合、ユーザの視点及び視野方向、あるいは照度や質感などによって全く異なる印象を受けることが生じ得るというエレベータ意匠特有の性質に起因している。
【０００６】
上記の特許文献１の技術においても、ユーザは３次元モデルを用いた画面上で実際の状態にかなり近い状態の意匠を確認することができるようになっているが、それでもユーザが実際に視覚を通じて認識するような視覚映像を常に提供するものではなかった。
【課題を解決するための手段】
【０００７】
上記課題を解決するための手段として、請求項１記載の発明は、インターネットを介してユーザ端末とエレベータメーカの意匠決定支援サーバとが接続され、該意匠決定支援サーバが該ユーザ端末のアクセスに応じてエレベータ意匠の仕様を決定するための画面を提供し、前記ユーザ端末によりこの画面上で選択又は記入された所定事項に基づきエレベータ意匠を決定するようになっている、エレベータ意匠決定支援システムにおいて、前記意匠決定支援サーバは、前記ユーザ端末のアクセスに応じて前記エレベータ意匠の仕様を決定するための画面を提供する意匠仕様記入画面提供手段と、ユーザが実際に視覚を通じて認識する映像又はこれに近い映像である前記エレベータ意匠に関する視覚映像を生成するために用いる各種情報が予め保存されている記憶手段と、前記意匠仕様記入画面提供手段が提供した画面上で前記ユーザ端末が記入した仕様に基づき、前記記憶手段に保存された各種情報を用いて前記視覚映像の生成を行う視覚映像画面生成手段と、前記視覚映像画面生成手段が生成した視覚映像を用いて、前記エレベータ意匠に関する静止画又は動画を前記ユーザ端末側に画面表示させる表示処理手段と、前記表示処理手段による前記ユーザ端末側での表示が行われた後、該ユーザ端末側に対して該表示に係る意匠の仕様の良否を問い合わせ、良とする回答を得た場合はその仕様を登録し、一方、否とする回答を得た場合は前記ユーザ端末が記入した仕様について変更を求めるユーザ要求仕様チェック手段と、を備えたことを特徴とする。
【０００８】
請求項２記載の発明は、請求項１記載の発明は、前記視覚映像画面生成手段は、前記記憶手段に保存された部品情報を用いて、エレベータの部品を組み立てる部品組立手段と、前記記憶手段に保存された質感情報を用いて、前記組み立てられるエレベータの部品の質感を設定する質感設定手段と、前記記憶手段に保存された光源情報を用いて、所定の場所の照度が所定レベルとなるように光源条件の設定を行う光源条件設定手段と、前記記憶手段に保存された視野情報を用いて、前記ユーザが実際に視覚を通じて認識する映像が得られるような視野条件を設定する視野条件設定手段と、前記部品組立手段、前記質感設定手段、前記光源条件設定手段、及び前記視野条件設定手段の各組立結果及び設定結果に基づきエレベータ意匠に関する描画を行う描画手段と、を有するものである、ことを特徴とする。
【０００９】
請求項３記載の発明は、請求項２記載の発明において、前記光源条件設定手段は、停電発生時にかご内の停電灯が点灯した場合に該かご内の照度が所定レベルとなるような光源条件の設定を行うものである、ことを特徴とする。
【００１０】
請求項４記載の発明は、請求項２記載の発明において、前記視野条件設定手段は、背面鏡が設置されたかご内に車椅子の利用者が乗り込む場合に、該利用者がかご内と乗場との間を円滑に乗降できる背面鏡のサイズ及び設置位置を調整するための視野条件を設定可能なものである、ことを特徴とする。
【００１１】
請求項５記載の発明は、請求項１乃至４のいずれかに記載の発明において、前記意匠決定支援サーバは、前記表示処理手段が前記ユーザ端末側に画面表示させる際に、エレベータ運転中に利用者に対して音声案内する内容を音声出力する音声出力手段を備えた、ことを特徴とする。
【発明の効果】
【００１２】
本発明によれば、ユーザは自己が選択した仕様の意匠を視覚映像で確認できるようになっているので、エレベータシステムの完成時に、ユーザが自己の抱いていたエレベータ意匠のイメージと実際に仕上がったエレベータ意匠との相違により失望するようなことをなくすことができる。
【発明を実施するための最良の形態】
【００１３】
図１は、本発明の実施形態に係るエレベータ意匠決定支援システムの構成図である。この図において、インターネット１を介して複数のユーザ端末２とエレベータメーカが保有する意匠決定支援サーバ３とが接続されている。
【００１４】
そして、この意匠決定支援サーバ３は、ユーザ端末２のアクセスに応じてエレベータ意匠の仕様を決定するための画面を提供する意匠仕様記入画面提供手段４と、ユーザが実際に視覚を通じて認識する映像又はこれに近い映像であるエレベータ意匠に関する視覚映像を生成するために用いる各種情報が予め保存されている記憶手段５と、意匠仕様記入画面提供手段４が提供した画面上でユーザ端末２が記入した仕様に基づき、記憶手段５に保存された各種情報を用いて視覚映像の生成を行う視覚映像画面生成手段６と、視覚映像画面生成手段６が生成した視覚映像を用いて、エレベータ意匠に関する静止画又は動画をユーザ端末２側に画面表示させる表示処理手段７と、表示処理手段７によるユーザ端末２側での表示が行われた後、このユーザ端末２側に対してこの表示に係る意匠の仕様の良否を問い合わせ、良とする回答を得た場合はその仕様を登録し、一方、否とする回答を得た場合はユーザ端末２が記入した仕様について変更を求めるユーザ要求仕様チェック手段８と、表示処理手段７がユーザ端末２側に画面表示させる際に、エレベータ運転中に利用者に対して音声案内する内容を音声出力する音声出力手段９を備えている。
【００１５】
図２は、図１の意匠決定支援サーバ３について、意匠仕様記入画面提供手段４を除く各手段のデータ入出力関係を示した構成図である。この図において、記憶手段５には、部品情報５１、質感情報５２、光源情報５３、視野情報５４、静止画・動画情報５５、及び音声案内情報５６等の各種情報が保存されている。なお、情報５５を除く各種情報は予め保存されているものである。
【００１６】
部品情報５１は、エレベータを構成する各部品を３次元形状で表示するための情報であり、型番毎あるいは形状種類毎など任意の分類に従って表示することが可能になっている。質感情報５２は、部品を形成する材料の違いから受ける外観上の感じについての情報であり、これも型番など任意の分類に従って表示することが可能になっている。光源情報５３は、蛍光灯や白熱灯などエレベータ設備における光源となり得る各種ランプについての情報であり、ランプの種類、色、ワット数などの任意の分類に従って表示することが可能になっている。視野情報５４は、エレベータ利用者が実際に視覚を通じて認識する映像についての情報であり、利用者の視野の向きや視点位置などの相違に応じて表示することが可能になっている。静止画・動画情報５５は、後述する描画手段６５が描画することにより得られる描画データである。そして、表示処理手段７は、この描画データを１枚の静止画として表示することもできるし、複数枚の静止画を動画として表示することもできる。音声案内情報５６は、音声出力手段９が音声出力するのに用いる情報であり、例えば、「○○階です。」や「ドアが閉まります。御注意下さい。」などがある。
【００１７】
視覚映像画面生成手段６は、部品情報５１を用いて、エレベータの部品を組み立てる部品組立手段６１と、質感情報５２を用いて、組み立てられるエレベータの部品の質感を設定する質感設定手段６２と、光源情報５３を用いて、所定の場所の照度が所定レベルとなるように光源条件の設定を行う光源条件設定手段６３と、視野情報を用いて、ユーザが実際に視覚を通じて認識する映像が得られるような視野条件を設定する視野条件設定手段６３と、部品組立手段６１、質感設定手段６２、光源条件設定手段６３、及び視野条件設定手段６３の各組立結果及び設定結果に基づきエレベータ意匠に関する描画を行い、この描画により得られた描画データを静止画・動画情報５５として記憶手段５に保存する描画手段６５とを有している。
【００１８】
表示処理手段７は、描画手段６５から描画が終了した旨の通知を受けると、静止画・動画情報５５のデータを取り出し、これをユーザ端末２の画面に表示させるようになっている。そして、ユーザ要求仕様チェック手段８は、表示処理手段７からユーザ端末２側での表示が終了した旨の通知を受けると、既述したように、ユーザ端末２側に対してこの表示に係る意匠の仕様の良否を問い合わせ、良とする回答を得た場合はその仕様を登録し、一方、否とする回答を得た場合はユーザ端末２側に対して記入仕様の内容を変更することを要求するようになっている。
【００１９】
次に、図１及び図２の動作を図３のフローチャートを参照しつつ説明する。意匠決定支援サーバ３は、ユーザ端末２からのアクセスがあると、これを受け付け（ステップ１）、意匠仕様記入画面提供手段４がユーザ端末２側に仕様記入画面を提供する（ステップ２）。
【００２０】
図４は、このような仕様記入画面の一例を示す説明図であり、「かご側設定」に関するものである。仕様記入画面の例としては、この他に「乗場側設定」、「昇降路側設定」、あるいは「機械室側設定」などがある。ユーザ端末２側のユーザは、図４に示した画面上でクリック操作を行って「天井形状」、「天井材質」、「ドアパネル材質」、「床材質」、「側板材質」、及び「オプション」について所望の項目に係る文字を青色反転表示させ、この状態で「決定」ボタン４１をクリックすることにより仕様を選択することができる。
【００２１】
なお、「天井材質」、「ドアパネル材質」、「床材質」、及び「側板材質」については標準仕様指定印４２及び特殊仕様指定印４３が設けられており、特殊仕様指定印４３の方がチェックされている場合（図４に示した例では標準仕様指定印４２がチェックされている。）、「参照」ボタン４４をクリックするとプルダウンメニューが画面表示されて、所望の特殊仕様項目を選択することができる。
【００２２】
また、ユーザは青色反転表示された個所をクリックすることにより、その形状又は材質等を画面上に表示させることができる。例えば、ユーザが「天井形状」において青色反転表示された型番「ＤＸ−４」をクリックすると、この型番に係る天井用品が３次元形状で表示される。
【００２３】
上記のようにして、ユーザが仕様記入画面上で仕様を記入すると、ユーザ要求仕様チェック手段８はこの記入仕様を入力し（ステップ３）、記入仕様の組合せに問題がないかどうかをチェックする（ステップ４）。組合せ如何によっては実行不可能なものがあるからである。もし、このような実行不可能な組合せが選択されている場合、ユーザ要求仕様チェック手段８は、ユーザ端末２側の画面上で警告メッセージを表示し、ユーザに再度選択をやり直すように注意を促す。一方、組合せに問題がない場合、ユーザ要求仕様チェック手段８は手段６１〜６４に対して処理実行指令と、記入仕様の内容とを出力する（ステップ５）。
【００２４】
部品組立手段６１は、ユーザ要求仕様チェック手段８から処理実行指令及び記入仕様の内容を入力すると、記憶手段５の部品情報５１を用いて部品組立を行う（ステップ６）。同様にして、質感設定手段６２は質感情報５２を用いて質感設定を行い（ステップ７）、光源条件設定手段６３は光源情報５３を用いて光源条件の設定を行い（ステップ８）、視野条件設定手段６４は視野情報５４を用いて視野条件の設定を行う（ステップ９）。
【００２５】
そして、描画手段６５は上記の手段６１〜６４の組立結果及び設定結果に基づきエレベータ意匠の描画データを作成し、この描画データを静止画・動画情報５５として記憶手段５に保存する（ステップ１０）。
【００２６】
表示処理手段７は、描画手段６５から描画が終了した旨の通知を受けると、記憶手段５に保存された静止画・動画情報５５のデータを取り出し、これをユーザ端末２の画面に表示させる（ステップ１１）。このとき、ユーザはユーザ端末２の画面上で所定の操作を行うことにより、エレベータ運転中に利用者に対して音声案内される内容を音声出力手段９に音声出力させることができる。
【００２７】
ユーザ要求仕様チェック手段８は、表示処理手段７からユーザ端末２側での表示が終了した旨の通知を受けると、ユーザ端末２側に対してこの表示に係る意匠の仕様の良否を問い合わせ、良否いずれの回答が返ってくるかを判別する（ステップ１２）。そして、良とする回答を得た場合はその仕様を登録し（ステップ１３）、一方、否とする回答を得た場合はユーザ端末２側に対して記入仕様の内容を変更することを要求する（ステップ１４）。
【００２８】
上述した図１及び図２の構成によれば、ユーザは自己が選択した仕様の意匠を、実際に現場で視覚を通じて認識する視覚映像で確認することができる。すなわち、ユーザはエレベータを構成する各部品の単独形状、あるいは各部品を組み立てた時の最終組立形状のいずれについても３次元形状で任意の視点及び任意の視野方向から確認でき、更に色彩、明るさ、質感等についても任意の条件下で確認することができる。したがって、ユーザは、エレベータシステムの完成時に、それまで自己が抱いていたエレベータ意匠のイメージと実際に仕上がったエレベータ意匠との相違により失望するようなことがなくなる。また、上述した実施形態によれば次のような効果を得ることもできる。
【００２９】
（１）光源条件設定手段６３により、停電発生時にかご内で点灯する停電灯による照度を自由に設定することができる。すなわち、何らかの事故あるいは災害等により停電が発生した場合、エレベータの運転が停止され、利用者は密室であるかご内に閉じこめられる可能性もあり得る。このような場合に備えて、かご内には停電灯が設置されているが、この停電灯は外部からの電源供給が遮断された場合にのみ点灯するようになっており、ユーザはエレベータシステムの発注段階で停電灯のみによる照度がどの程度のものになるのかについて実際に体験するのは困難である。しかし、上記実施形態によれば、光源条件設定手段６３は、このような場合のかご内の照度を自由に調整・設定することができるので、ユーザの要求を充分に満足させることができると共に、法令等により規定されている所定基準を容易にクリアすることができる。
【００３０】
（２）オプションとしてかご内に背面鏡を設置する場合に、視野条件設定手段６４により、この背面鏡の適切なサイズ及び設置位置を求めることができる。本来、背面鏡は、車椅子の利用者がかご内と乗場との間をスムースに乗降できるようにするためにかご内の奥壁に取り付けられたものである。
【００３１】
図５は、このような背面鏡が設置されたかご内の様子を乗場側から見た説明図である。この図において、かご内の奥壁には背面鏡１０が取り付けられており、この背面鏡に防犯窓１２を有するドア１１、及び操作盤１３などが写し出されている（図５では説明の便宜上鏡にドア等が写し出された状態を示したものであり、勿論実際にはこの状態（ドア開放状態に見える）でドアが写し出されることはない。）。また、かご内の側壁には手摺り１４が取り付けられている。
【００３２】
乗場側にいる利用者はドア１１が開いた後、前向きの姿勢で矢印Ｙ1方向に進んでかご内に乗り込み、かごが目的階に到着しドア１１が開いた後、今度は後ろ向きの姿勢で矢印Ｙ2方向に後退してかごから乗場側に下りることになる。後退する車椅子の利用者は、このとき背面鏡により後方の障害物や他の乗客の存在の有無を確認することができるので円滑に乗場側に下りることができる。しかし、この時もし背面鏡のサイズや設置位置が不適切なものであると、車椅子の利用者の視界に死角が生じ、円滑に下りることができない場合もあり得る。
【００３３】
視野条件設定手段６４によれば、このときの車椅子利用者の視点高さなどの視野条件を設定することができるので、ユーザ端末２側ではこの乗降の際の情況を動画によって画面上に表示することができる。したがって、ユーザは実際に車椅子の利用者になったつもりで確認することができ、車椅子の利用者が円滑に乗降できるための背面鏡のサイズ（幅Ｗ×高さＨ）及び設置位置（床面からの位置Ａ、側壁からの位置Ｂ）を調整して適切に設定することができる。
【図面の簡単な説明】
【００３４】
【図１】本発明の実施形態に係るエレベータ意匠決定支援システムの構成図。
【図２】図１の意匠決定支援サーバ３について、意匠仕様記入画面提供手段４を除く各手段のデータ入出力関係を示した構成図。
【図３】図１及び図２の動作を説明するためのフローチャート。
【図４】図１における意匠仕様記入画面提供手段４がユーザ端末２に提供する仕様記入画面の一例を示す説明図。
【図５】図２における視野条件設定手段６４が、車椅子の利用者のための背面鏡１０を取り付ける際の視野条件設定についての説明図。
【符号の説明】
【００３５】
１  インターネット
２  ユーザ端末
３  意匠決定支援サーバ
４  意匠仕様記入画面提供手段
４１  「決定ボタン」
４２  標準仕様指定印
４３  特殊仕様指定印
４４  「参照」ボタン
５  記憶手段
５１  部品情報
５２  質感情報
５３  光源情報
５４  視野情報
５５  静止画・動画情報
５６  音声案内情報
６  視覚映像画面生成手段
６１  部品組立手段
６２  質感設定手段
６３  光源条件設定手段
６４  視野条件設定手段
６５  描画手段
７  表示処理手段
８  ユーザ要求仕様チェック手段
９  音声出力手段
１０  背面鏡
１１  ドア
１２  防犯窓
１３  操作盤
１４  手摺り
【図１】
2005154102.tif 000003
【図２】
2005154102.tif 000004
【図３】
2005154102.tif 000005
【図４】
2005154102.tif 000006
【図５】
2005154102.tif 000007